(57)【特許請求の範囲】
【請求項１】
光伝送ネットワークにおけるデータ伝送の方法であって、
クライアントからのクライアントデータを受信するステップと、
前記クライアントデータをフレーム構造（ＯＤＵ−ｆｌｅｘ）にマッピングするステップと、
前記フレーム構造（ＯＤＵ−ｆｌｅｘ）をデータ伝送構造（ＨＯ−ＯＤＵ）の従属スロット（ＴＳ）にマッピングするステップと、
前記データ伝送構造（ＨＯ−ＯＤＵ）を伝送するステップと
を備え、前記データ伝送構造（ＨＯ−ＯＤＵ）が固定数の従属スロット（ＴＳ）を含み、
前記フレーム構造（ＯＤＵ−ｆｌｅｘ）のサイズが、前記データ伝送構造（ＨＯ−ＯＤＵ）の前記従属スロット（ＴＳ）の粒度において選択可能であり、
前記データ構造（ＨＯ−ＯＤＵ）を伝送するステップが、前記光伝送ネットワークのスイッチングデバイスによって行われる前記従属スロット（ＴＳ）のタイムスイッチングを備え、さらに、
サイズ適合されたフレーム構造（ＯＤＵ−ｆｌｅｘ）をマッピングするために、前記データ伝送構造（ＨＯ−ＯＤＵ）内の従属スロット（ＴＳ）の割当てを選択すること、
前記従属スロット（ＴＳ）の割当ての変更を前記スイッチングデバイスに信号で伝えること、
前記サイズ適合されたフレーム構造（ＯＤＵｆｌｅｘ）をもたらす前記従属スロット（ＴＳ）の粒度において前記フレーム構造（ＯＤＵ−ｆｌｅｘ）の前記サイズを適合させること
によって、一致された制限データレートに応じて前記フレーム構造（ＯＤＵ−ｆｌｅｘ）のサイズを適合させるステップと、
前記サイズ適合されたフレーム構造（ＯＤＵ−ｆｌｅｘ）に対応する新しい制限データレートを前記クライアントに信号で伝えるステップを備える、ことを特徴とする方法。
【請求項２】
前記クライアントデータの前記受信が、
レート制限されたクライアントデータをもたらす前記クライアントデータのレート制限
を備える、請求項１に記載の方法。
【請求項３】
前記クライアントデータの前記フレーム構造（ＯＤＵ−ｆｌｅｘ）への前記マッピングが、
前記レート制限されたクライアントデータのカプセル化レイヤフレームへのマッピング、
前記フレーム構造への前記カプセル化レイヤフレームのマッピング
を備える、請求項２に記載の方法。
【請求項４】
前記フレーム構造（ＯＤＵ−ｆｌｅｘ）への前記カプセル化レイヤフレームの前記マッピングの後に占有されない、前記フレーム構造（ＯＤＵ−ｆｌｅｘ）のそれらの従属スロット（ＴＳ）にアイドルデータをマッピングするステップを備える、請求項３に記載の方法。
【請求項５】
光伝送ネットワークにおけるデータ伝送のためのネットワークデバイスであって、
クライアントデータを受信するための第１の物理インタフェース、
フレーム構造（ＯＤＵｆｌｅｘ）を生成する、および前記クライアントデータを前記フレーム構造（ＯＤＵｆｌｅｘ）にマッピングするためのより下位のフレーマ（ＬＯ  ＯＤＵフレーマ）、
固定数の従属スロット（ＴＳ）を含むデータ伝送構造（ＨＯ−ＯＤＵ）を生成するため、および前記フレーム構造（ＯＤＵｆｌｅｘ）の前記データ伝送構造（ＨＯ−ＯＤ）へのマッピングのためのより上位のフレーム（ＨＯ  ＯＤＵフレーマ）、
前記光伝送ネットワークへ前記データ伝送構造（ＨＯ−ＯＤＵ）を伝送するための第２の物理インタフェース
を備え、前記より下位のフレーマ（ＬＯ  ＯＤＵフレーマ）が、前記データ伝送構造（ＨＯ−ＯＤＵ）の前記従属スロット（ＴＳ）の粒度において前記フレーム構造（ＯＤＵｆｌｅｘ）のサイズを選択するように適合され、さらに、
前記光伝送ネットワークの制御または管理プレーンから要求信号を受信するためのシグナリングインタフェース
を備え、
前記より上位のフレーマが、前記要求信号を受信したときに、サイズ適合されたフレーム構造（ＯＤＵ−ｆｌｅｘ）のマッピングのための前記データ伝送構造（ＨＯ−ＯＤＵ）内での従属スロット（ＴＳ）の割当てを選択するように適合され、
そして、前記より下位のフレーマが、前記サイズ適合されたフレーム構造（ＯＤＵｆｌｅｘ）をもたらす前記従属スロット（ＴＳ）の粒度において前記フレーム構造のサイズを変更するように適合され、
前記シグナリングインタフェースが、前記サイズ適合されたフレーム構造（ＯＤＵ−ｆｌｅｘ）に対応する新しい制限データレートを前記クライアントに信号で伝えるように適合されたことを特徴とする、ネットワークデバイス。
【発明の詳細な説明】
【技術分野】
【０００１】
本発明は、光伝送ネットワークにおけるデータ伝送に関する。
【背景技術】
【０００２】
通信標準ＩＴＵ−Ｔ  Ｇ．７０９（０３／２００３）から、フレーム構造を使用してデータを伝送する方法が知られている。この方法は、本明細書において、さらに詳しく説明される。標準ＩＴＵ−Ｔ  Ｇ．７０９は、これにより本明細書の開示に含まれる。
【０００３】
この方法によれば、クライアント信号が固定サイズの単一のフレーム構造内にマッピングされる。そのフレーム構造は、クライアントへある一定のデータレートを提供する。その提供されるデータレートは、フレーム構造のサイズに対応する。クライアントへより高いデータレートを提供するために、固定サイズフレーム構造の整数倍を使用して、多重化方法が実行される。クライアント信号は固定サイズのこれらの複数のフレーム構造にマッピングされ、これらのフレーム構造は、より上位のフレーム構造にバイト単位でインタリーブすることによって、多重化される。
【発明の概要】
【発明が解決しようとする課題】
【０００４】
本発明は、光伝送ネットワークにおけるデータ伝送の方法を提供する。
【課題を解決するための手段】
【０００５】
本方法は、ある一定のステップを実施することによって実行される。第１のステップで、クライアントから来るクライアントデータが受信される。第２のステップで、クライアントデータがフレーム構造ＯＤＵ−ｆｌｅｘにマッピングされる。第３のステップで、フレーム構造ＯＤＵ−ｆｌｅｘが、データ伝送構造ＨＯ−ＯＤＵの従属スロットＴＳにマッピングされる。第４のステップで、データ伝送構造ＨＯ−ＯＤＵが、光伝送ネットワークＯＴＮを介して伝送される。データ伝送構造ＨＯ−ＯＤＵは、固定数の従属スロットＴＳを含み、フレーム構造ＯＤＵ−ｆｌｅｘのサイズは、データ伝送構造ＨＯ−ＯＤＵの従属スロットＴＳの粒度において選択可能である。
【０００６】
本発明は、フレーム構造ＯＤＵｆｌｅｘのサイズがデータ伝送構造ＨＯ−ＯＤＵの従属スロットＴＳの粒度において選択可能であり、またフレーム構造ＯＤＵｆｌｅｘに対応するクライアントのデータレートがデータ伝送構造ＨＯ−ＯＤＵの従属スロットＴＳの粒度において選択可能である、ということによる利点をもたらす。
【０００７】
本発明の実施形態によるデバイスおよび／または方法のいくつかの実施形態が、以下の添付の図面を参照して、単に例として、ここで説明される。
【図面の簡単な説明】
【０００８】
【図１】標準ＩＴＵ−Ｔ  Ｇ．７０９によるフレーム構造にクライアントデータをマッピングする方法を示す図である。
【図２】標準ＩＴＵ−Ｔ  Ｇ．７０９によるフレーム構造を示す図である。
【図３】標準ＩＴＵ−Ｔ  Ｇ．７０９によるフレーム構造の多重化ステップを示す図である。
【図４】第１の実施形態による、クライアントデータをフレーム構造にマッピングする、またそのフレーム構造をデータ伝送構造へマッピングする方法を示す図である。
【図５】さらなる一実施形態による、クライアントデータをフレーム構造にマッピングする、またそのフレーム構造をデータ伝送構造へマッピングする方法を示す図である。
【図６】一実施形態による、クライアントデータをフレーム構造にマッピングし、光伝送ネットワークを介してそのフレーム構造を伝送する方法を示す図である。
【図７ａ】フレーム構造のサイズを適合させる方法を示す図である。
【図７ｂ】フレーム構造のサイズを適合させる方法を示す図である。
【図７ｃ】フレーム構造のサイズを適合させる方法を示す図である。
【図７ｄ】フレーム構造のサイズを適合させる方法を示す図である。
【図８ａ】フレーム構造のサイズを適合させる方法を示す図である。
【図８ｂ】フレーム構造のサイズを適合させる方法を示す図である。
【図８ｃ】フレーム構造のサイズを適合させる方法を示す図である。
【図８ｄ】フレーム構造のサイズを適合させる方法を示す図である。
【図９】フレーム構造のサイズ適合のための光伝送ネットワーク内で信号を送る方法を示す図である。
【図１０】フレーム構造のサイズ適合のための光伝送ネットワーク内で信号を送る方法を示す図である。
【図１１】一実施形態によるネットワークデバイスを示す図である。
【発明を実施するための形態】
【０００９】
図１は、標準ＩＴＵ−Ｔ  Ｇ．７０９によるフレーム構造を使用してデータを伝送する方法を示す。クライアント１は、フレーム構造ＯＤＵ（光データユニット）にマッピング２される、クライアントデータ１１を生成する。マッピング２の本方法は、「デジタルラッパ」として知られている。その標準によれば、使用されるフレーム構造は、ある一定の、固定サイズである。その標準によれば、約２．５Ｇビット／秒のデータレートを提供する、「ＯＤＵ１」と呼ばれるフレーム構造、約１０Ｇビット／秒のデータレートの「ＯＤＵ２」と呼ばれるさらなるフレーム構造、または、約４０Ｇビット／秒のデータレートをもつ「ＯＤＵ３」と呼ばれるさらに別のフレーム構造を選ぶことができる。かかるフレーム構造は次に、好ましくはタイプＯＴＮのネットワーク（光伝送ネットワーク）を介したデータの伝送に使用される。
【００１０】
図２は、標準ＩＴＵ−Ｔ  Ｇ．７０９によるかかるフレーム構造ＯＤＵの一般的構造を示す。フレーム構造ＯＤＵは、そこにクライアントデータ１１がマッピングされるペイロードＰＬを含む。さらに、フレーム構造ＯＤＵは、オーバヘッドセクションＯＨを含む。このオーバヘッドセクションＯＨに、伝送情報に関する追加のオーバヘッド情報が含まれることができる。好ましくは、フレーム構造ＯＤＵはさらに、タンデム結合モニタリングＴＣＭの情報についてのデータビュー、ならびにさらなるオーバヘッド情報ＯＨ  ＯＰＵを含む。
【００１１】
ある一定のクライアントデータレートがクライアントに許される場合、このデータレートは、たとえば、２．５Ｇビット／秒でのＯＤＵ１フレーム構造のデータレートでもよい。かかる場合、クライアントのデータは、単一のフレーム構造にマッピングされる。その標準によれば、フレーム構造ＯＤＵは光伝送ネットワークＯＴＮを介して伝送されることができる。この伝送は次に、それ自体は次に光伝送ネットワークＯＴＮを介して伝送されるフレーム構造ＯＤＵを光伝送ユニットＯＴＵにマッピングすることによって、好ましくは実行される。
【００１２】
クライアントからのクライアントデータが受信され、マッピングされ、その標準による可能な最小データレート、ＯＤＵ１を使用した２．５Ｇビット／秒、よりも高いデータレートで次に伝送される場合、図３によって示される標準ＩＴＵ−Ｔ  Ｇ．７０９による多重化の方法が示される。図３は、固定サイズのフレーム構造ＯＤＵ１のさらに大きなサイズのＯＤＵ２のフレーム構造への多重化を示す。ＯＤＵ１のデータレート、２．５Ｇビット／秒より高いデータレートで単一のフレーム構造でクライアントデータを伝送することが求められる場合、その標準による次に高い可能なデータレートは、ＯＤＵ２のデータレートである、１０Ｇビット／秒である。ＯＤＵ２である、その標準による次に大きなフレーム構造ＯＤＵ２のペイロードセクションにＯＤＵ１フレーム構造が多重化される方法で、単一のＯＤＵ１フレーム構造の多重化が実行される。その多重化は、最小フレーム構造ＯＤＵ１の次に大きなフレーム構造ＯＤＵ２へのバイト単位のインタリーブによって実行される。多重化ＯＤＵ２の結果として生じるフレーム構造の伝送は次に、光伝送ネットワークＯＴＮを介した伝送のための光伝送ユニットＯＴＵ２に組み込まれる。光伝送ユニットＯＴＵ２は、オーバヘッドセクションＯＨ  ＯＵＴ、および順方向誤り訂正法ＦＥＣのためのセクションを含む。
【００１３】
単一のフレーム構造でクライアントデータを伝送するために、その標準に従って、フレーム構造ＯＤＵ１、ＯＤＵ２、ＯＤＵ３、または、データレート２．５Ｇビット／秒、１０Ｇビット／秒、４０Ｇビット／秒もしくはより高いデータレートを提供するより大きなフレーム構造を選択することができる。
【００１４】
本発明は、光伝送ネットワークＯＴＮを介して単一のフレーム構造を使用してクライアントのクライアントデータを伝送するときに、この単一のフレーム構造が、その単一のフレーム構造のサイズに対応する結果として得られるデータレートが十分な粒度をもつような、選択可能なサイズをもつ、という考えに基づいている。
【００１５】
クライアントデータは好ましくは、物理クライアントインタフェースを介して提供されるクライアントデータの論理チャネルに属する。好ましくは、そのクライアントデータ信号は、バーチャルローカルエリアネットワークタグＶＬＡＮ−ＴＡＧの分析によって論理チャネルに割り当てられることができる。バーチャルローカルエリアネットワークタグへの代替として、任意の他の種類のフロータグが、かかる割当てを可能にするためのクライアントデータに含まれることができる。好ましくは、クライアントデータに付加されたタグは、論理チャネルに属し、単一のフレーム構造にマッピングされることになる種類のクライアントデータを判定するために、分析される。
【００１６】
図４は、光伝送ネットワークにおけるクライアントデータのデータ伝送のための本方法を示す。クライアント１は、フレーム構造ＯＤＵｆｌｅｘへのマッピング手順３を介して受信され、マッピングされる、認定ビット速度でクライアントデータ１１を提供する。クライアントデータをマッピングする３のステップは好ましくは、クライアントデータのカプセル化２のサブステップを含む。フレーム構造ＯＤＵｆｌｅｘは、その中にクライアントデータがマッピングされるペイロードセクションＰＬ、ならびにオーバヘッドセクションＯＨ  ＯＤＵｆｌｅｘを含む。さらに、フレーム構造ＯＤＵｆｌｅｘは、タンデム結合モニタリングなどのさらなるオーバヘッドのためのさらなるセクションを含むことができる。フレーム構造ＯＤＵｆｌｅｘは次に、データ伝送構造ＨＯ−ＯＤＵの従属スロットＴＳにマッピング手順４によってマッピングされる。データ伝送構造ＨＯ−ＯＤＵは、固定サイズであり、固定数の従属スロットＴＳを含む。かかるデータ伝送構造ＨＯ−ＯＤＵは好ましくは、タイプＯＤＵ１、ＯＤＵ２、ＯＤＵ３、または、標準ＩＴＵ−Ｔ  Ｇ．７０９によって定義されるような他の構造である。データ伝送構造ＨＯ−ＯＤＵはさらに、オーバヘッドセクションＯＨ  ＨＯ−ＯＤＵを含む。データ伝送構造ＨＯ−ＯＤＵは次に、オーバヘッドセクションＯＨ  ＯＴＵおよび順方向誤り訂正法ＦＥＣのためのさらなるセクションを含む、光伝送ユニットＯＴＵに組み込まれる。データ伝送構造ＨＯ−ＯＤＵの伝送は、クライアントデータを提供する第１のクライアントから受信クライアントに光伝送ネットワークＯＴＮを介して光伝送ユニットＯＴＵを伝送することによって実行される。その伝送は光伝送ネットワークによって実行され、そこで光伝送ネットワークＯＴＮのスイッチングデバイスが従属スロットＴＳのタイムスイッチングを実行する。
【００１７】
マッピング手順４を介してフレーム構造ＯＤＵｆｌｅｘをデータ伝送構造ＨＯ−ＯＤＵにマッピングするとき、フレーム構造ＯＤＵｆｌｅｘがデータ伝送構造ＨＯ−ＯＤＵの従属スロットＴＳにマッピングされるように、マッピングが行われる。
【００１８】
フレーム構造ＯＤＵｆｌｅｘのサイズは、固定サイズではなく、可変サイズであり、データ伝送構造ＨＯ−ＯＤＵの従属スロットＴＳの粒度において選択されることができる。これを可能にすることによって、フレーム構造ＯＤＵｆｌｅｘのサイズ、ひいてはクライアントデータのデータレートがデータ伝送構造ＨＯ−ＯＤＵの単一の従属スロットＴＳのサイズの粒度において選択されることができる。従って、フレーム構造ＯＤＵｆｌｅｘは単一のフレーム構造へのあるデータレートでのクライアントデータのマッピングを可能にし、そのデータレートは、ＯＤＵ１などの所定の固定サイズのフレーム構造のデータレートの整数倍への量子化に関して束縛されない。
【００１９】
好ましくは、さらなるフレーム構造ＯＤＵｆｌｅｘ２が、マッピング手順５を介して、データ伝送構造ＨＯ−ＯＤＵのさらなる従属スロットにマッピングされる。異なるサイズの異なるフレーム構造のデータ伝送構造ＨＯ−ＯＤＵへのマッピングを可能にすることによって、各フレーム構造のサイズは、前述の従属スロットＴＳの粒度において変わることができ、標準ＩＴＵ−Ｔ  Ｇ．７０９によって達成されない粒度での異なるデータレートでの異なるクライアントデータのデータ伝送を提供することが達成される。好ましくは、単一の従属スロットＴＳによって提供されるそのデータレートは、１．２５Ｇビット／秒である。
【００２０】
図５は、光伝送ネットワークにおけるデータ伝送のための本方法のさらなる実施形態を示す。図５によれば、クライアント１は、非連続的データレートでクライアントデータ２１を提供する。かかるクライアントデータは、インターネットプロトコルＩＰ、非同期転送モードＡＴＭ、イーサネット（登録商標）トラフィック、音声アプリケーション、またはビデオアプリケーションから生じるデータでもよい。非連続的クライアントデータ２１は、分類器１００によって修正される。分類器は、クライアントのデータを論理チャネルに割り当てるために、クライアントのデータに付加されたタグを識別する、つまりある特定のタグをもつクライアントデータは単一のフレーム構造ＯＤＵｆｌｅｘに後でマッピングされることになる。さらに、分類器は、非連続的クライアントデータにレート制限を適用する。非連続的データレートで、制限されたクライアントデータ２２は次に、データフレーム２３内にカプセル化される１０１。かかるカプセル化は、データフレームへのクライアントデータのバイト単位マッピングによって実行される。カプセル化のかかる方法は、好ましくは、一般的フレーム指示手順ＧＦＰによって行われることができる。データフレーム２３は、連続的データレートで到達する、または次にフレーム構造ＯＤＵｆｌｅｘにマッピングされる。データフレーム２３がフレーム構造ＯＤＵｆｌｅｘによって提供されるデータレートよりも小さい連続的データレートで受信される場合、フレーム構造ＯＤＵｆｌｅｘのペイロードセクションＰＬが、アイドルデータＩＤＬＥで充てんされることができる。スロット割当て１０２の次のステップで、データ伝送構造ＨＯ−ＯＤＵにフレーム構造ＯＤＵｆｌｅｘのペイロードＰＬをマッピングするために必要な従属スロットＴＳの数が判定される。スロット割当て１０２のステップの後、フレーム構造ＯＤＵｆｌｅｘは次に、図４によって前に説明されたようなデータ伝送構造ＨＯ−ＯＤＵにマッピング手順１０３によってマッピングされる。順方向誤り訂正法１０４の次のステップで、追加データが、好ましくはリード−ソロモンまたはハミング−コードを使用して、判定される。順方向誤り訂正法１０４からの追加データ、そしてまたさらなるオーバヘッドセクションを追加して、光伝送ユニットＯＴＵが、光伝送ネットワークＯＴＮを介した伝送のために提供される。
【００２１】
さらなる一実施形態によれば、本方法は
−  物理インタフェースを介して論理クライアントデータを受信するステップ、
−  可変サイズＯＤＵｆｌｅｘをもつフレーム構造にクライアントデータをマッピングするステップ、
−  可変サイズＯＤＵ−ｆｌｅｘをもつフレーム構造をデータ伝送構造ＨＯ−ＯＤＵの適当な数の従属スロットＴＳにマッピングし、クライアントデータトラフィックを失うことなく、可変サイズＯＤＵ−ｆｌｅｘをもつフレーム構造の動的サイズ変更および従属スロットの再割当ての数を可能にするステップ、
−  データ伝送構造ＨＯ−ＯＤＵを伝送するステップ、を含む。
【００２２】
データ伝送構造ＨＯ−ＯＤＵは固定数の従属スロット（ＴＳ）を含み、フレーム構造（ＯＤＵ−ｆｌｅｘ）のサイズは、データ構造（ＨＯ−ＯＤＵ）の従属スロット（ＴＳ）の粒度において選択可能である。
【００２３】
図６は、本方法のさらに別の実施形態を示す。図６は、クライアントデータのフレーム構造ＯＤＵｆｌｅｘへのマッピング、フレーム構造ＯＤＵｆｌｅｘのデータ伝送構造ＨＯ−ＯＤＵの従属スロットＴＳへのマッピング、および、光伝送ネットワークＯＴＮのスイッチングデバイス２０４、２０９、２１５、ＣＣによって行われる従属スロットＴＳのタイムスイッチングを介したデータ伝送構造ＨＯ−ＯＤＵの伝送を示す。クライアント２０１からのデータは、データフレームＧＦＰにカプセル化ステップ２０２によってカプセル化され、フレーム構造２０３にマッピングされる。好ましくは、アイドルデータＩＤＬＥが、フレーム構造２０３のデータ容量を完全に充てんするために、データフレームＧＦＰに追加される。スイッチングデバイス２０４は、データ伝送構造２０６の従属スロット３０１、３０２へのフレーム構造２０３のマップ２０５のマッピングを実行する。
【００２４】
データ伝送構造の従属スロットのタイムスイッチングの原理をより簡単に説明するために、データ伝送構造ＨＯ−ＯＤＵに順方向誤り訂正法のさらなるオーバヘッドおよびデータを追加して光伝送ユニットＯＴＵを取得するステップは、図６には含まれず、表示されていない。データ伝送ユニット２０６は、フレーム構造２０３によって占有されない、さらなる従属スロット３０３、３０４を含むことができる。データ伝送構造２０６の従属スロット３０１−３０４は次に、光チャネル２０７を介してスイッチングデバイスＣＣに伝送される。スイッチングデバイスＣＣの入力セクションで、フレーム構造３０１、３０２を含む従属スロットは、スイッチングデバイス２０９によってスイッチングデバイスＣＣの出力セクションにある出力データ伝送構造２１０の従属スロット５０１、５０３にスイッチングされる。従って、スイッチングデバイスＣＣの出力セクションでのデータ伝送構造２１０の従属スロット５０１、５０３の割当ては、最初に受信されたデータ伝送構造２０６のスロット割当てとは異なり得る。新しいスロット割当て２１０のデータ伝送構造は次に、光チャネル２１１を介して伝送される。データ伝送構造２１２の受信の後に、フレーム構造５０１、５０３を含む従属スロットは、最初のフレーム構造２０３が再構成されるように、好ましくは不可知論的マトリックスで、スイッチングデバイス２１５を介してマッピング手順２１３、２１４によってマッピングされる。フレーム構造２０３に含まれるデータフレームＧＦＰを使用して、最初のクライアント２０１のクライアントデータは次に再構成され、受信クライアント６００に提供される。
【００２５】
最初のクライアント２０１から受信クライアント６００に適切にクライアントデータを伝送するために、光伝送ネットワークに沿ってタイムスイッチングを実行する素子は、フレーム構造２０３が受信側で適切に再構成されることができるようなタイムスイッチングに一致しなければならない。従って、従属スロットＴＳへのフレーム構造ＯＤＵｆｌｅｘのマッピング、およびスイッチングデバイス２０４、２０９、２１５によって実行されるスロット割当てが、フレーム構造２０３の伝送が開始する前に一致されなければならない。
【００２６】
さらなる実施形態によれば、光ネットワークにおけるデータ伝送のための本方法は、一致した制限されたデータレートに従ってフレーム構造ＯＤＵｆｌｅｘのサイズを適合させるステップを含む。この適合は、ある一定のサブステップによって行われる。第１のサブステップは、サイズ適合されたフレーム構造ＯＤＵｆｌｅｘのマッピングのためのデータ伝送構造ＨＯ−ＯＤＵで従属スロットＴＳの割当てを選択するステップである。第２のサブステップは、光ネットワーク内のデータ伝送に加わる、それらのスイッチングデバイスに従属スロットＴＳの選択された割当てを信号で伝えるステップである。第３のステップは、フレーム構造ＯＤＵｆｌｅｘのサイズを適合させるステップである。好ましくは、フレーム構造ＯＤＵｆｌｅｘのサイズを適合させた後に、サイズ適合されたフレーム構造ＯＤＵｆｌｅｘのサイズに対応する新しい制限されたデータレートがクライアントに信号で伝えられる。従って、クライアントは、クライアント自身のデータレートを新しい制限されたデータレートまで上げることができること、および、新しい制限されたデータレートでクライアント自身のデータは光伝送ネットワークを介して適切に伝送されることができることを知らされる。
【００２７】
図７ａ、７ｂ、７ｃ、および７ｄは、フレーム構造ＯＤＵｆｌｅｘのサイズを適合させる本方法のステップを示す。示されているのは、フレーム構造ＯＤＵｆｌｅｘのサイズをインクリメントし、従ってクライアントに許されるデータレートもまた増やすときに、実行されるステップである。
【００２８】
図７ａは、フレーム構造のサイズを変更し、それによってクライアントのデータレートを増やす前の構成を示す。図７ａによれば、クライアントデータは、データ伝送構造ＨＯ−ＯＤＵの従属スロットＴＳＯにマッピング手順ＭＰによって次にマッピングされるフレーム構造ＯＤＵｆｌｅｘのデータを形成するために、好ましくはアイドルデータＩＤＬＥで充てんされた、データフレームＧＦＰ内にカプセル化される。そのデータ伝送構造は、まだフレーム構造に割り当てられていない、さらなる従属スロットＴＳを含む。光伝送ネットワークのすべてのスイッチングデバイスとデータ伝送構造ＨＯ−ＯＤＵの従属スロットの新しいスロット割当てで一致した後、図７ｂによる本方法の次のステップが着手されることができる。この次のステップでは、追加の従属スロットＴＳＯ＋がデータ伝送構造ＨＯ−ＯＤＵ内に割り当てられる。本方法のこのステップでは、これらの追加の従属スロットＴＳＯ＋がマッピング手順ＭＰ  ＳＴＵＦＦＩＮＧによってスタッフィングデータで充てんされる。図７ｃに示される本方法の次のステップで、フレーム構造ＯＤＵｆｌｅｘのマッピングＭＰが最初の従属スロットＴＳＯおよび追加の従属スロットＴＳＯ＋を充てんするように、フレーム構造ＯＤＵｆｌｅｘのサイズが増やされる。クライアントデータのデータレートはまだ、本方法の最初と同じデータレートに保持されている。フレーム構造ＯＤＵｆｌｅｘ＋内の追加のデータ容量は、最初に、追加のアイドルデータＩＤＬＥ＋で充てんされる。図７ｄの次のステップで、クライアントは、新しい量のデータフレームＧＦＰ２によって図７ｄに表された新しいデータ容量をもたらすサイズ適合されたフレーム構造ＯＤＵｆｌｅｘのサイズによってデータレートを増やすことを許される。好ましくは、新しい許されたデータレートでクライアントデータによって占められないデータ容量は、さらなるアイドルデータＩＤＬＥ２によって充てんされる。
【００２９】
図８は、フレーム構造ＯＤＵｆｌｅｘのサイズひいてはクライアントデータレートが減らされる場合に実行されるステップを示す。
【００３０】
図８ａによる最初のステップで、クライアントのデータレートひいてはフレーム構造ＯＤＵｆｌｅｘのサイズは、それがデータ伝送構造ＨＯ−ＯＤＵ内のいくつかの従属スロットＴＳＯを占有するようになっている。従属スロットＴＳＯ、フレーム構造ＯＤＵｆｌｅｘのマッピングのためのＴＳＯ−、の変更された割当てについて光伝送ネットワークのスイッチングデバイスと一致した後、図８ｂに示されるステップが実行される。このステップでは、クライアントデータは、そのクライアントデータのカプセル化から生じるデータフレームの量が減らされたＧＦＰ−でもあるように、減らされる。このステップで、フレーム構造のサイズは、変更されないままにされ、そのデータ容量は、クライアントのデータの減少により解放される。
【００３１】
データフレームＧＦＰ−によって占められる減らされたデータ容量は、さらなるアイドルデータＩＤＬＥ２＋で充てんされる。図８ｃに示す次のステップで、フレーム構造のサイズは、減らされたフレーム構造ＴＳＯ−によって占有されない、従属スロットＴＳＯ−を解放する減らされたＯＤＵｆｌｅｘ−である。これらの従属スロットＴＳＯ−は、マッピング手順によってスタッフィングデータＭＰ  ｓｔｕｆｆｉｎｇで充てんされる。図８ｄに示される次のステップで、フレーム構造ＴＳ−によってもはや割り当てられないそれらの従属スロットＴＳ−は、それらが他のデータの伝送に使用されることができることを目的として割り当てられる。
【００３２】
図９および１０は、フレーム構造のサイズを適合させるために、スロット割当ての要求された変更をネットワークのスイッチングデバイスに信号で伝えるステップを示す。データレートの増加を目的として、制御または管理プレーンが、データ伝送ＳＤ１、ＳＤ２、ＳＤ３に加わるそれらのスイッチングデバイスにプロセスの開始のための第１の信号Ｍ１、Ｍ２、Ｍ３を送信する。この第１のメッセージは、それらがデータレートを増やすことを目的として追加の従属スロットを割り当てることによってデータ伝送のデータレートを増やす準備をするであろうことをスイッチングデバイスに信号で伝える。影響を受けたスイッチングデバイスＳＤ１−ＳＤ３が、追加の従属スロットを事前割当てする。そのスイッチングデバイスは信号を送り、それらが要求どおりの従属スロットの新しい無矛盾のマッピングを提供することができる場合には、制御または管理プレーンに逆方向メッセージＭ４の信号を戻す。スイッチングデバイスのうちの１つが無矛盾のスロット割当ておよび追加の従属スロットのマッピングを提供することができない場合、従属スロットの割当ておよび／またはそのマッピングを肯定応答しないという情報が逆方向メッセージＭ４に含まれる。
【００３３】
すべてのスイッチングデバイスが従属スロットの新しい無矛盾のマッピングに一致し、肯定応答メッセージを送り返した場合、スイッチングデバイスが修正メッセージを受信したときに従属スロットの割当ておよびマッピングの構成を修正するように、制御または管理プレーンがスイッチングデバイスにネットワークを介して修正メッセージＭ５を送信する。スイッチングデバイスは、制御または管理プレーンにさらなる逆方向メッセージＭ７を送り返すことによって、従属スロットの新しいマッピングを肯定応答する。スイッチングデバイスのうちの１つが要求どおりに従属スロットのマッピングの構成を修正することができない場合、そのスイッチングデバイスはこのマッピングを肯定応答しないという情報をさらなる逆方向メッセージＭ７に含む。
【００３４】
次のステップで、制御または管理プレーンがすべてのスイッチングデバイスにネットワークを介してサイズ変更メッセージＭ８、Ｍ９を送信する。フレーム構造ＯＤＵｆｌｅｘのサイズを変更するこの情報は、その最初のサイズで送信される最後のフレーム構造内に組み込まれる。この通知を受信した後、スイッチングデバイスは、適切なスロット割当ておよび従属スロットのマッピングをもつ新しいサイズの次に受信されるフレーム構造を伝送するために、要求どおりにその構成を変更する。フレーム構造のサイズの変更を介するスイッチングデバイスによる構成の変更の成功は、管理または制御プレーンに第３の逆方向メッセージＭ１０によって戻される信号である。また、いずれかのスイッチングデバイスが要求どおりに無事に構成を変更することができない場合、この第３の逆方向メッセージＭ１０は、スイッチングデバイスがそのフレーム構造のサイズの要求された変更を肯定応答しないという情報を含むことができる。
【００３５】
次のステップで、管理または制御プレーンが、ネットワークを介してスイッチングデバイスに最後のメッセージＭ１１を送信する。この最後のメッセージは、フレーム構造のサイズを増やすプロセスが無事に行われたことを示す。クライアントデータ受信およびレート制限のための分類器に接続されているネットワークのスイッチングデバイスが次に、クライアントのデータレートの増加が許されることができることをその分類器に通知することになる。この通知を受けて、分類器は、クライアントに分類器が新しい制限されたデータレートでデータを送ることを許されたことを知らせる。これに加えて、分類器は、レート制限を変更し、新しいデータレートを可能にすることになる。
【００３６】
図９および１０は、フレーム構造のサイズを増やす、および図７で前述したようにデータ伝送構造の従属スロットの粒度においてデータレートを増やすときのシグナリングの方法を示す。フレーム構造のサイズを増やすこと、およびクライアントデータ８を送信するためのクライアントに許可されるデータレートを増やすことを目的とした、シグナリングの同様の方法が同様に予期されることができる。
【００３７】
図１１は、第１の実施形態による提案されるネットワークデバイスを示す。ネットワークデバイス６００は、
−  クライアントデータ６１０の受信のための第１の物理インタフェース６２０と、
−  フレーム構造ＯＤＵｆｌｅｘを生成する、およびクライアントデータをフレーム構造ＯＤＵｆｌｅｘにマッピングするためのより下位のフレーマ６２２と、
−  固定サイズの従属スロットＴＳを含むデータ伝送構造ＨＯ−ＯＤＵを生成するため、およびデータ伝送構造ＨＯ−ＯＤＵにフレーム構造ＯＤＵｆｌｅｘをマッピングするためのより上位のフレーマ６２５と、
−  光伝送ネットワークＯＴＮへデータ伝送構造ＨＯ−ＯＤＵを伝送するための第２の物理インタフェース６２６と
を含む。
【００３８】
より下位のフレーマ６２２は、データ伝送構造ＨＯ−ＯＤＵの従属スロットＴＳの粒度においてフレーム構造ＯＤＵｆｌｅｘのサイズを選択するように適合される。
【００３９】
ネットワークデバイス６００はさらに、制限データレートにクライアントデータ６１０のデータレートを制限するため、ならびに、クライアントデータに付加されたタグ、好ましくはＶＬＡＮタグ、を好ましくは識別するためのパケットプロセッサ６２１を含む。タグを識別することによって、パケットプロセッサ６２１は、どの種類の受信クライアントデータ６１０がクライアントの論理チャネルに関連付けられるかを決定することができる。論理チャネルに関連付けられたクライアントデータはその場合、フレーム構造ＯＤＵｆｌｅｘにマッピングされることになるその種類のクライアントデータである。より下位のフレーマ６２２はレート制限されたクライアントデータをデータフレームＧＦＰ内にカプセル化し、フレーム構造ＯＤＵｆｌｅｘを生成し、データフレームＧＦＰをフレーム構造ＯＤＵｆｌｅｘにマッピングする。
【００４０】
好ましくは、第１の物理インタフェース６２０、パケットプロセッサ６２１、およびより下位のフレーマ６２２は、バックパネルフレーマ６２３とともに入口ボード６０１上に配置される。バックパネルフレーマ６２３は、より下位のフレーマ６２２からフレーム構造ＯＤＵｆｌｅｘを受信し、内部データ形式でスイッチングデバイス６０３へフレーム構造ＯＤＵｆｌｅｘを送信する。接続スイッチングデバイス６０３は次に、ネットワークデバイス６００の出口ボード６０２の第２のバックパネルフレーマ６２４へフレーム構造ＯＤＵｆｌｅｘをスイッチングする。好ましくは、スイッチングデバイス６０３は、これらのボードの間で信号をスイッチングするための複数の入口ボードおよび出口ボードに接続される。
【００４１】
第２のバックパネルフレーマ６２４は、内部データ形式を使用してフレーム構造ＯＤＵｆｌｅｘを再構成し、同じく出口ボード６０２上に位置付けられたより上位のフレーマ６２５へそのフレーム構造を渡す。より上位のフレーマ６２５は、固定数の従属スロットＴＳを含むデータ伝送構造ＨＯ−ＯＤＵを生成し、データ伝送構造ＨＯ−ＯＤＵ内にいくつかの従属スロットＴＳを割り当て、割り当てられた従属スロットＴＳにフレーム構造をマッピングする。より上位のフレーマ６２５は次に、同じく出口ボード６０２上に位置付けられた第２の物理インタフェース６２６にデータ伝送構造ＨＯ−ＯＤＵを渡す。好ましくは、より上位のフレーマは、それを第２の物理インタフェース６２６に渡す前に、データ伝送構造ＨＯ−ＯＤＵを追加のオーバヘッドＯＨ  ＨＯ−ＯＤＵおよび順方向誤り訂正ＦＥＣのためのデータに組み込む。物理インタフェース６２６は次に、データ伝送構造ＨＯ−ＯＤＵを光伝送ネットワーク６１１へ送信する。
【００４２】
前述の方法の一実施形態に従って動作するために、ネットワークデバイス６００はさらに、伝送ネットワークＯＴＮの制御または管理プレーンから要求信号６４０を受信するためのシグナリングインタフェース６３０を含む。シグナリングインタフェース６３０は次に、データ伝送構造ＨＯ−ＯＤＵの修正された数の従属スロットが適合されたサイズのフレーム構造ＯＤＵｆｌｅｘの伝送のために必要とされていることを出口ボード６０２のより上位のフレーマ６２５に信号で伝える。より上位のフレーマ６２５は、適合されたサイズのフレーム構造ＯＤＵｆｌｅｘの伝送のためのデータ伝送構造ＨＯ−ＯＤＵ内の従属スロットＴＳの修正された割当てを選択するように適合される。より上位のフレーマ６２５は、シグナリングインタフェース６３０からのシグナリングを受信したときにそれを行う。シグナリングインタフェース６３０からのシグナリングを受信したとき、より下位のフレーマ６２２は、サイズ適合されたフレーム構造ＯＤＵｆｌｅｘをもたらす従属スロットＴＳの粒度でフレーム構造ＯＤＵｆｌｅｘのサイズを変更する。サイズ適合されたフレーム構造ＯＤＵｆｌｅｘは次に、より上位のフレーマ６２５によって割り当てられた従属スロットにマッピングされる。
【００４３】
フレーム構造のサイズを変更した後、パケットプロセッサ６２１は、それに基づいてパケットプロセッサがサイズ適合されたフレーム構造に対応する新しい制限データレートにその制限データレートを適合させる、シグナリングインタフェース６３０を介して制御または管理プレーンから信号を受信する。新しい制限データレートは次に、クライアント７００にデータレート信号６９０を介して信号で伝えられる。
【００４４】
本明細書で使用される略語は、標準ＩＴＵ  Ｇ．７０９から知られるような光伝送ネットワークについて適用されている。しかし、本明細書は、ＩＴＵ  Ｇ．７０９による光伝送ネットワークに限定されず、同様のフレーム構造をもつ光伝送ネットワークもまた参照することができる。
【図１】
0005362044.tif 000002
【図２】
0005362044.tif 000003
【図３】
0005362044.tif 000004
【図４】
0005362044.tif 000005
【図５】
0005362044.tif 000006
【図６】
0005362044.tif 000007
【図７ａ】
0005362044.tif 000008
【図７ｂ】
0005362044.tif 000009
【図７ｃ】
0005362044.tif 000010
【図７ｄ】
0005362044.tif 000011
【図８ａ】
0005362044.tif 000012
【図８ｂ】
0005362044.tif 000013
【図８ｃ】
0005362044.tif 000014
【図８ｄ】
0005362044.tif 000015
【図９】
0005362044.tif 000016
【図１０】
0005362044.tif 000017
【図１１】
0005362044.tif 000018